(57)【要約】【課題】浴槽本体と浴槽エプロンとの間の十分な止水性能を確保するとともに、設計自由度を向上させることができる洗い場付き浴槽及び浴室ユニットを提供する。【解決手段】上面を構成するフランジ部２２を有した浴槽本体２と、浴槽本体２における洗い場側の側面を構成する浴槽エプロン４と、を備え、フランジ部２２よりも下方に接続部材６０が設けられるとともに、浴槽エプロン４の上端縁が止水材２４Ｃ及び接続部材６０を介してフランジ部２２に接続される。【選択図】図３
2015186553.tif 000002
【特許請求の範囲】
【請求項１】
上面を構成するフランジ部を有した浴槽本体と、該浴槽本体における洗い場側の側面を構成する浴槽エプロンと、を備えた洗い場付き浴槽であって、
前記フランジ部よりも下方に設けられるとともに、前記浴槽エプロンの上端縁と前記フランジ部とを止水材を介して接続する接続部材を備えることを特徴とする洗い場付き浴槽。
【請求項２】
前記接続部材が水平方向に延びる直線部を有するとともに、該直線部が該接続部材の長さ寸法の過半を占めて設けられていることを特徴とする請求項１に記載の洗い場付き浴槽。
【請求項３】
前記フランジ部の上面は、高さが変化する曲面状に形成され、
前記接続部材は、高さ調整部材を介して前記フランジ部に接続されることを特徴とする請求項１又は２に記載の洗い場付き浴槽。
【請求項４】
前記浴槽本体は、前記フランジ部の外縁から前記接続部材よりも下方まで垂下される垂下片部を有し、該垂下片部の裏面に前記止水材が当接されることを特徴とする請求項１〜３のいずれか一項に記載の洗い場付き浴槽。
【請求項５】
請求項１〜４のいずれか一項に記載の洗い場付き浴槽を備えたことを特徴とする浴室ユニット。
【発明の詳細な説明】
【技術分野】
【０００１】
本発明は、浴槽本体と浴槽エプロンとを備えた洗い場付き浴槽及び浴室ユニットに関する。
【背景技術】
【０００２】
従来、ユニットバス等において、浴槽エプロンを備えた洗い場付き浴槽が利用されている（例えば、特許文献１参照）。特許文献１に記載された浴槽は、浴槽本体のフランジ部（リム部）と洗い場床の土手部とに亘って浴槽エプロンが取り付けられており、この浴槽エプロンは、その下端部が土手部に支持され、上端部の係止部がフランジ部の下面（裏面）に形成された被係止部に当接されることで、浴槽本体の側面を覆って取り付けられている。
【先行技術文献】
【特許文献】
【０００３】
【特許文献１】特開２０１３−２４８１５４号公報
【発明の概要】
【発明が解決しようとする課題】
【０００４】
ところで、浴槽本体に取り付けた浴槽エプロンによって洗い場側の側面が構成される浴槽では、浴槽本体及び洗い場床と浴槽エプロンとの間の止水性が求められる。しかしながら、特許文献１に記載されたような従来の浴槽では、浴槽本体側の被係止部がフランジ部の下面から突出したリブであり、浴槽エプロン側の係止部が浴槽エプロンの上端部から突出した突起であり、このようなリブと突起とを当接させるだけでは止水性能が得られない。さらに、従来の浴槽では、リブ（被係止部）がフランジ部に一体成形されたものであるため、リブの形状や剛性、強度がフランジ部の形状等に依存することから、このリブに当接させて取り付けられる浴槽エプロンの形状等もフランジ部によって決まってしまい、浴槽本体及び浴槽エプロンの設計自由度が制限されるという問題もある。
【０００５】
本発明の目的は、浴槽本体と浴槽エプロンとの間の十分な止水性能を確保するとともに、設計自由度を向上させることができる洗い場付き浴槽及び浴室ユニットを提供することにある。
【課題を解決するための手段】
【０００６】
本発明の洗い場付き浴槽は、上面を構成するフランジ部を有した浴槽本体と、該浴槽本体における洗い場側の側面を構成する浴槽エプロンと、を備えた洗い場付き浴槽であって、前記フランジ部よりも下方に設けられるとともに、前記浴槽エプロンの上端縁と前記フランジ部とを止水材を介して接続する接続部材を備えることを特徴とする。
【０００７】
以上のような本発明によれば、浴槽本体のフランジ部よりも下方に設けられた接続部材が止水材を介して浴槽エプロンの上端縁とフランジ部とを接続することで、浴槽エプロンの上端縁から浴槽本体側への水の浸入を防止し、浴槽本体と浴槽エプロンとの間の十分な止水性能を確保することができる。さらに、接続部材を介して浴槽エプロンが取り付けられることで、浴槽本体の形状、特にフランジ部の形状に関わらずに浴槽エプロンの形状を決定することができ、浴槽本体と浴槽エプロンの設計自由度を向上させることができる。
【０００８】
ここで、例えばフランジ部が任意の曲面形状を有する場合、従来の構造では、フランジ部と一体に成形されるリブの形状が複雑になり、このリブに当接させる浴槽エプロンの形状にも影響が出てしまい、設計が煩雑になるとともに、複雑な止水構造が必要になって止水性低下の可能性があった。これに対して、本発明では、フランジ部と別体の接続部材を用いることで、フランジ部の形状に影響されずに浴槽エプロンの形状を決定することができるとともに、止水構造も単純化されることによって止水性能の向上が図られる。
【０００９】
また、浴槽本体の形態が異なる場合や、浴槽本体と洗い場床との段差が異なる場合など、様々な浴室バリエーションが存在するが、従来の構造では、バリエーションごとに形態が異なる浴槽エプロンを準備しておかなければならないのに対し、本発明では、接続部材の取付位置を設定することによって共通の浴槽エプロンを利用することも可能となり、設計の簡素化とともに、部品製造や保管管理の手間を削減してコスト低減を図ることができる。
【００１０】
この際、本発明の洗い場付き浴槽では、前記接続部材が水平方向に延びる直線部を有するとともに、該直線部が該接続部材の長さ寸法の過半を占めて設けられていることが好ましい。
【００１１】
このような構成によれば、接続部材が水平方向に延びる直線部を有して構成されていることで、この直線部に沿って接続される浴槽エプロンの上端縁も直線状に形成することができ、浴槽エプロンを長方形などの単純な形状とすることができる。
【００１２】
さらに、本発明の洗い場付き浴槽では、前記フランジ部の上面は、高さが変化する曲面状に形成され、前記接続部材は、高さ調整部材を介して前記フランジ部に接続されることが好ましい。
【００１３】
このような構成によれば、高さが変化する曲面状にフランジ部の上面が形成された場合に、高さ調整部材を介してフランジ部に接続部材が接続されることで、所定高さの止水ラインに沿った接続部材による止水構造を確保しつつ、この接続部材をフランジ部に確実に接続することができる。
【００１４】
また、本発明の洗い場付き浴槽では、前記浴槽本体は、前記フランジ部の外縁から前記接続部材よりも下方まで垂下される垂下片部を有し、該垂下片部の裏面に前記止水材が当接されることが好ましい。
【００１５】
このような構成によれば、接続部材よりも下方まで垂下される垂下片部を設けたことで、この垂下片部によって接続部材を覆って隠蔽することができ、浴槽の外観を良好にすることができる。さらに、垂下片部の裏面に止水材を当接させることで、この止水材を介して浴槽エプロンと浴槽本体（垂下片及びフランジ部）との間を水密に接続することができ、止水性能をさらに向上させることができる。
【００１６】
また、本発明の浴室ユニットは、前記いずれかの洗い場付き浴槽を備えたことを特徴とする。
【００１７】
このような構成によれば、前述の洗い場付き浴槽と同様に、浴槽本体と浴槽エプロンとの間の十分な止水性能を確保することができるとともに、浴槽本体と浴槽エプロンの設計自由度を向上させることができる。
【発明の効果】
【００１８】
以上のような本発明の洗い場付き浴槽及び浴室ユニットによれば、浴槽エプロンの上部における止水構造が接続部材及び止水材によって構成されるので、止水構造を単純化させて確実な止水性を得ることができ、浴槽本体と浴槽エプロンとの間の止水性能を向上させることができる。さらに、接続部材を介して浴槽本体に浴槽エプロンが支持されることで、浴槽本体と浴槽エプロンとの設計上の関連度合を下げることができ、設計自由度を高めることができる。
【図面の簡単な説明】
【００１９】
【図１】本発明の実施形態に係る洗い場付き浴槽を示す斜視図である。
【図２】前記洗い場付き浴槽を示す正面図である。
【図３】前記洗い場付き浴槽の要部を示す縦断面図である。
【図４】前記洗い場付き浴槽の浴槽エプロンを示す分解斜視図である。
【図５】前記洗い場付き浴槽の浴槽本体を示す平面図である。
【図６】前記浴槽本体を断面して示す斜視図である。
【図７】前記洗い場付き浴槽の要部を示す縦断面図である。
【図８】前記洗い場付き浴槽の要部を示す縦断面図である。
【図９】前記浴槽本体の一部を断面して示す側面図である。
【図１０】前記洗い場付き浴槽における接続部材を示す上面図及び側面図である。
【発明を実施するための形態】
【００２０】
以下、本発明の実施形態を図面に基づいて説明する。本実施形態の洗い場付き浴槽１は、浴室ユニットの一部を構成するものであって、図１に示すように、図示しない防水パンの上に支持される浴槽本体２と、この浴槽本体２に隣り合って設けられる洗い場床３と、浴槽本体２における洗い場側の側面を構成する浴槽エプロン４と、を備えて構成されている。なお、図７（Ａ）は、図５に矢視ＶＩＩＡ線で示す部分、図７（Ｂ）は、図５に矢視ＶＩＩＢ線で示す部分、図７（Ｃ）は、図５に矢視ＶＩＩＣ線で示す部分の各断面図であり、図８（Ａ）は、図５に矢視ＶＩＩＩＡ線で示す部分、図８（Ｂ）は、図５に矢視ＶＩＩＩＢ線で示す部分、図８（Ｃ）は、図５に矢視ＶＩＩＩＣ線で示す部分の断面図であり、図９は、図５に矢視ＩＸ線で示す部分を断面して示す側面図である。
【００２１】
浴槽本体２は、湯水を張って入浴するための入浴部２１と、入浴部２１の周囲から外方に延びるフランジ部２２と、フランジ部２２の外縁から垂下する垂下片部２３と、を有して構成されている。フランジ部２２の下側かつ垂下片部２３の裏側には、浴槽エプロン４のエプロン本体４１（後述）の上端縁を支持する支持部材２４（図３参照）が固定されている。この支持部材２４は、後述するように、接続部材６０と高さ調整部材７０とを有して構成されている。
【００２２】
洗い場床３は、適宜な水勾配を有する床面部３１と、この床面部３１の浴槽側端部に設けられる排水部３２と、浴槽本体２のフランジ部２２下方にて床面部３１から立ち上がる立上壁部３３と、を有して構成されている。洗い場床３には、図３に示すように、浴槽エプロン４を支持する支持ボルト３４が立設され、この支持ボルト３４に螺合する複数のナット３５によってエプロン本体４の下端縁が固定されている。
【００２３】
浴槽エプロン４は、図２〜４にも示すように、浴槽本体２の支持部材２４と洗い場床３の支持ボルト３４とに亘って取り付けられるエプロン本体４１と、エプロン本体４１の洗い場側を覆うエプロンカバー４２と、エプロンカバー４２の下端縁をエプロン本体４１に保持する保持部材４３と、を有して構成されている。エプロンカバー４２は、左右に隣り合ってエプロン本体４１に取り付けられる一対のカバー部材４２Ａ，４２Ｂで構成され、カバー部材４２Ａは、エプロン本体４１の過半の部分を覆う幅広に形成され、カバー部材４２Ｂは、図示しない浴室カウンターの出寸法と略同一の幅寸法を有して形成されている。
【００２４】
エプロン本体４１は、図４にも示すように、全体平板状の壁部５０と、壁部５０の左右にて上下に延びて設けられる縦フランジ５１と、壁部５０の上下に設けられる上フランジ５２及び下フランジ５３と、壁部５０を貫通する左右の開口部５４と、を有して形成されている。縦フランジ５１は、上フランジ５２よりも上方まで延びて形成され、この縦フランジ５１の上端には、浴槽本体２のフランジ部２２下面が載置されている。壁部５０には、開口部５４の上側に位置する上壁部５５と、開口部５４の下側に位置する下壁部５６と、がそれぞれ左右に延びて形成されている。
【００２５】
また、図３に示すように、上フランジ５２は、ボルト２４Ａ及びナット２４Ｂにより支持部材２４の接続部材６０に固定され、この上フランジ５２には、止水材２４Ｃを介して接続部材６０及び垂下片部２３の裏面に当接される突出片５２Ａが形成されている。この突出片５２Ａの左右端部には、図４に示すように、縦フランジ５１の上端まで延びる傾斜片５２Ｂが連続して形成されている。下フランジ５３は、支持ボルト３４及びナット３５により洗い場床３に固定され、この下フランジ５３には、止水材３３Ａを介して洗い場床３に当接される突出片５３Ａが形成されている。
【００２６】
エプロンカバー４２の一対のカバー部材４２Ａ，４２Ｂは、それぞれ樹脂製の中空板状部材で構成され、全体略矩形板状のカバー本体４２１と、カバー本体４２１の上端縁から上方に突出する上突条部４２２と、カバー本体４２１の下端縁から下方に突出する下突条部４２３と、を有して形成されている。また、カバー部材４２Ｂには、浴槽本体２からの配管を浴室カウンターに向かって挿通させるための挿通部４２４が形成されている。
【００２７】
このようなカバー部材４２Ａ，４２Ｂは、エプロン本体４１に設けられた係止部材５７に上突条部４２２が係止されるとともに、保持部材４３を介して下突条部４２３がエプロン本体４１の下壁部５６に固定されることによって、エプロン本体４１に固定されるようになっている。一方、保持部材４３を外して下突条部４２３をエプロン本体４１から離隔させるとともに、係止部材５７による上突条部４２２の係止を解除することで、カバー部材４２Ａ，４２Ｂは、エプロン本体４１から取り外し可能に構成されている。
【００２８】
保持部材４３は、カバー部材４２Ａ，４２Ｂの下突条部４２３に沿って設けられる長尺状の押圧部材４３１と、この押圧部材４３１を下突条部４２３に押圧するとともにエプロン本体４１の下壁部５６に螺合するボルト４３２と、押圧部材４３１に係止されて下突条部４２３の洗い場側を覆う下カバー部材４３３と、を有して構成されている。押圧部材４３１は、例えば樹脂製やステンレス合金やアルミ合金等から形成された断面略Ｃ字形の部材であって、その上端縁と下端縁とで下カバー部材４３３を係止可能に構成されている。下カバー部材４３３は、下方に向かって浴槽本体２側に傾斜した表面部を有した樹脂製部材であって、カバー部材４２Ａ，４２Ｂのカバー本体４２１下端部に当接する止水リップと、洗い場床３の立上壁部３３に当接する止水リップと、を有して形成されている。
【００２９】
また、エプロンカバー４２の一対のカバー部材４２Ａ，４２Ｂには、カバー本体４２１における浴槽本体側の側面外周に沿って連続する止水材４４が設けられている。止水材４４は、カバー本体４２１の外周側（カバー部材４２Ａ，４２Ｂの端縁寄り）に設けられる一次止水材４４Ａと、この一次止水材４４Ａよりも内側（カバー部材４２Ａ，４２Ｂの中央寄り）に設けられる二次止水材４４Ｂと、を有し、これらの一次止水材４４Ａ及び二次止水材４４Ｂをエプロン本体４１の壁部５０に押圧して密接させることで、二重の止水構造が構成されるようになっている。
【００３０】
図５〜９にも示すように、浴槽本体２は、入浴部２１を構成する底面部２５及び側面部２６と、側面部２６上端に連続して外方に延出する外周部２７と、を備えている。外周部２７は、その一部にフランジ部２２を含むとともに、入浴部２１の最大収容水位に応じた高さ（図７、８に一点鎖線Ｌ１で示す高さ））に設けられる上面部２７１と、図５の左側半分の範囲において入浴部２１を囲むとともに上面部２７１よりも低い底部を有する溝部２７２と、この溝部２７２よりも入浴部２１側に位置して上面部２７１よりも上方に立ち上がる立壁部２７３と、この立壁部２７３よりも入浴部２１側に設けられて側面部２６の上端に連続する平坦部２７４と、を有して形成されている。
【００３１】
上面部２７１は、浴槽本体２における洗い場側の端縁中央よりも一方側（図５の右側）に向かって延び、入浴部２１の周囲に沿って洗い場から離れる方向に延びるとともに、洗い場と反対側の端縁全長に沿うとともに、他方側（図５の左側）の端縁沿って設けられている。即ち、上面部２７１は、浴槽本体２の四周端縁のうち、洗い場側における端縁中央よりも他方側には形成されていない。この上面部２７１には、図５に矢印で示すように、浴槽本体２の端縁から入浴部２１側、即ち浴槽内部側に向かって下がる水勾配が形成され、上面部２７１に溢れた湯水が入浴部２１に向かって流れるようになっている。
【００３２】
溝部２７２は、浴槽本体２における洗い場と反対側の端縁中央を起点として、立壁部２７３の外側に沿って円弧状に延びるとともに、洗い場側の端縁に到達した位置にて該端縁に開放される第一溝部と、浴槽本体２における洗い場側の端縁中央を起点として、立壁部２７３の外側に沿って他方側（図５の左側）に延びるとともに、第一溝部との合流位置２７２Ａにて端縁に開放される第二溝部と、で構成されている。また、溝部２７２の底部は、合流位置２７２Ａで最も低くなるような水勾配を有して形成され、溝部２７２に流入した湯水が合流位置２７２Ａを通って洗い場に流れ落ちるようになっている。
【００３３】
立壁部２７３は、浴槽本体２における洗い場と反対側の端縁中央をそれぞれ起点として、他方側（図５の左側）に延びつつ、徐々に上端の高さが高くなる傾斜を有するとともに、他方側にて円弧状に連続して形成されている。この立壁部２７３は、浴槽内部側の側面が側面部２６に連続して形成され、浴槽内部側の側面が溝部２７２から立ち上がって形成されている。また、立壁部２７３は、上面部２７１（入浴部２１の最大収容水位）よりも立ち上がって形成されていることから、入浴部２１から溢れた湯水が立壁部２７３を越えることがなく、溢れた湯水は上面部２７１を越えて洗い場に流れ落ちる。さらに、立壁部２７３が入浴部２１と溝部２７２とを仕切って形成されていることから、溝部２７２と入浴部２１とが互いに非連続に設けられ、入浴部２１から溢れた湯水が溝部２７２に直接流れ込まないようになっている。
【００３４】
平坦部２７４は、円弧状の立壁部２７３に他方側を囲まれるとともに、一方側が入浴部２１の側面部２６に連続して設けられ、立壁部２７３側から入浴部２１側に向かって下がる水勾配を有して形成されている。この平坦部２７４は、上面部２７１と略同一か又は上面部２７１よりも高い位置に設けられ、最大収容水位を超えて上面部２７１から溢れるほどの湯水を入浴部２１に張ったとしても、この湯水が平坦部２７４に溜まらないようになっている。このような平坦部２７４は、入浴者の頭部側に設けられていることが好ましく、平坦部に設置した浴室用枕に入浴者が頭部を持たせ掛けて入浴することで、快適性が向上するとともに、入浴者が肩などにかけた湯水を平坦部２７４から入浴部２１へ戻すことができるようになっている。
【００３５】
図７〜１０にも示すように、支持部材２４は、接続部材６０と高さ調整部材７０とを有して構成されている。接続部材６０は、フランジ部２２よりも下方に設定された止水ライン（図７、８に一点鎖線Ｌ２で示す高さ）に沿って設けられるとともに、浴槽エプロン４の上端縁であるエプロン本体４１の突出片５２Ａと止水材２４Ｃを介して接続されている。この接続部材６０は、金属板材から曲げ加工により製作された長尺状の部材であり、止水ラインに沿った上辺部６１と、この上辺部６１に連続して上下に延びる縦辺部６２と、この縦辺部６２に連続して洗い場と反対側に延びる下辺部６３と、を有して断面クランク状に形成されるとともに、上辺部６１の長手方向両端部に連続して上方に傾斜した傾斜片部６４をさらに有して形成されている。即ち、接続部材６０において、その両端部の傾斜片部６４を除く部分が直線状に形成された直線部６５であり、この直線部６５が止水ラインに沿って水平方向に延びて設けられている。
【００３６】
上辺部６１は、エプロン本体４１の突出片５２Ａの上方に位置し、その洗い場側の端縁が浴槽本体２の垂下片部２３近傍まで延びて設けられている。縦辺部６２は、突出片５２Ａを挟んで垂下片部２３の反対側に対向するとともに、その下端縁がエプロン本体４１の上フランジ５２近傍まで延びて設けられている。下辺部６３は、上フランジ５２に沿って設けられ、上フランジ５２に対してボルト２４Ａ及びナット２４Ｂによって固定されている。上辺部６１及び縦辺部６２と垂下片部２３とによって、突出片５２Ａの三方を囲んで下方に開口した凹部が形成され、この凹部に止水材２４Ｃが設けられることで、浴槽本体２とエプロン本体４１と接続部材６０との間の止水構造が構成されている。さらに、接続部材６０の両端部において、傾斜片部６４とエプロン本体４１の傾斜片５２Ｂとの間に延びて止水材２４Ｃが設けられることで、接続部材６０の全長に亘る止水構造が構成されている。
【００３７】
高さ調整部材７０は、接続部材６０に沿った長尺状又はピース状の金属角パイプから構成され、図９に示すように、互いに高さ寸法の異なる第一部材７０Ａと２つの第二部材７０Ｂとを有し、それぞれ接続部材６０の上辺部６１に溶接固定されている。高さ調整部材７０の第一部材７０Ａは、浴槽本体２における洗い場側の端縁中央よりも一方側（図４の右側）に設けられ、第二部材７０Ｂは、他方側の二箇所に設けられている。即ち、図７（Ｂ），（Ｃ）に示すように、浴槽本体２の上面部２７１に対応する位置に第一部材７０Ａが設けられ、図６（Ａ）及び図７（Ａ）に示すように、上面部２７１よりも高さが若干低くなる位置に第二部材７０Ｂが設けられ、図６（Ｂ），（Ｃ）に示すように、溝部２７２の底部の高さが低くなる位置には、高さ調整部材７０が設けられていない。
【００３８】
このような支持部材２４は、接続部材６０に高さ調整部材７０を溶接固定して一体化してから、浴槽本体２のフランジ部２２下面に取り付けられる。フランジ部２２の下面には、支持部材２４の固定位置に応じてボス部２２Ａが形成されており、接続部材６０及び高さ調整部材７０に形成した挿通孔を介してビス２４Ｄをボス部２２Ａに螺合させることによって、支持部材２４がフランジ部２２に固定されている。このように支持部材２４をフランジ部２２に固定した状態において、接続部材６０の上辺部６１及び縦辺部６２と垂下片部２３とで形成された凹部に止水材２４Ｃを設け、この止水材２４Ｃに突出片５２Ａを密接させつつエプロン本体４１を設置し、その上フランジ５２と接続部材６０の下辺部６３とをボルト２４Ａ及びナット２４Ｂによって固定する。
【００３９】
エプロン本体４１の上フランジ５２を浴槽本体２のフランジ部２２に固定したら、続いて下フランジ５３の突出片５３Ａを洗い場床３の止水材３３Ａに密接させつつ、下フランジ５３を支持ボルト３４及びナット３５により洗い場床３に固定する。以上により、エプロン本体４１が浴槽本体２と洗い場床３とに亘って取り付けられる。その後、エプロンカバー４２のカバー部材４２Ａ，４２Ｂの上突条部４２２をエプロン本体４１の係止部材５７に係止させるとともに、カバー部材４２Ａ，４２Ｂの下突条部４２３を保持部材４３によってエプロン本体４１の下壁部５６に固定することで、エプロンカバー４２がエプロン本体４１に取り付けられ、これにより浴槽エプロン４の取り付け作業が完了する。
【００４０】
以上のような本実施形態によれば、以下のような効果がある。浴槽本体２のフランジ部２２よりも下方に設定した止水ラインに沿って接続部材６０を設け、この接続部材６０に止水材２４Ｃを介してエプロン本体４１が接続されているので、浴槽本体２のフランジ部２２や上面部２７１の形状に関わらずに止水構造を構成することができ、エプロン本体４１の上端縁から浴槽本体２側への水の浸入が防止でき、浴槽本体２と浴槽エプロン４との間の十分な止水性能を確保することができる。
【００４１】
さらに、接続部材６０を含む支持部材２４を介してエプロン本体４１が浴槽本体２に取り付けられているので、浴槽本体２のフランジ部２２や上面部２７１の形状に関わらずに浴槽エプロン４の形状を決定することができ、浴槽本体２と浴槽エプロン４の設計自由度を向上させることができる。また、浴槽本体２の形態が異なる場合や、浴槽本体２と洗い場床３との段差が異なる場合など、様々な浴室バリエーションに対し、接続部材６０の取付位置を適宜に設定することによって共通の浴槽エプロン４を利用することも可能となり、設計の簡素化とともに、部品製造や保管管理の手間を削減してコスト低減を図ることができる。
【００４２】
また、浴槽本体２の外周部２７に溝部２７２や立壁部２７３が設けられて、フランジ部２２が曲面状に形成されて高さが変化する形状を有する場合であっても、接続部材６０が止水ラインに沿って水平方向に延びる直線状に形成されていることで、この接続部材６０に接続されるエプロン本体４１の上端縁も直線状に形成することができ、浴槽エプロン４を単純な形状とすることができる。従って、エプロン本体４１の上端縁における止水構造も単純化され、止水性能の向上を図ることができる。
【００４３】
また、浴槽本体２に垂下片部２３が形成され、この垂下片部２３の裏面に止水材２４Ｃが当接されることで、この止水材２４Ｃを介してエプロン本体４１の上端縁と浴槽本体２との間を水密に接続することができ、止水性能をさらに向上させることができる。さらに、垂下片部２３によって支持部材２４及び浴槽エプロン４の上端部を覆って隠蔽することで、浴槽の美観を良好にして意匠性を向上させることができる。
【００４４】
なお、本発明は、前記実施形態に限定されるものではなく、本発明の目的が達成できる他の構成等を含み、以下に示すような変形等も本発明に含まれる。例えば、前記実施形態では、浴槽エプロン４のうちのエプロン本体４１が接続部材６０に接続され、エプロン本体４１にエプロンカバー４２が取り付けられる構成を例示したが、浴槽エプロン４の構造は前記実施形態に限定されるものではなく、浴槽エプロン４が単一の部材から構成されるものでもよいし、エプロン本体及びエプロンカバーに加えて他の部材を有して構成され、この他の部材が接続部材に接続されていてもよい。
【００４５】
また、前記実施形態では、接続部材６０が高さ調整部材７０を介して浴槽本体２のフランジ部２２に固定されていたが、これに限らず、接続部材６０が浴槽本体２に直接固定されていてもよいし、高さ調整部材とは異なる他の部材を介して浴槽本体２に固定されていてもよい。また、接続部材６０や高さ調整部材７０の形状や寸法、数は、前記実施形態に限られるものではなく、浴槽本体２及び浴槽エプロン４の構造に応じて適宜に変更することができる。
【００４６】
また、前記実施形態では、浴槽本体２に垂下片部２３が形成され、この垂下片部２３によって支持部材２４及び浴槽エプロン４の上端部を覆う構成であったが、これに限らず、浴槽エプロン４によって支持部材２４を覆うようにしてもよいし、垂下片部や浴槽エプロン以外の他のカバー部材を設けて支持部材２４を覆うようにしてもよい。また、前記実施形態では、浴槽本体２の外周部２７に溝部２７２、立壁部２７３及び平坦部２７４が形成されていたが、浴槽本体２の形状は特に限定されず、例えば、入浴部２１の外周にフラットな上面部（フランジ部）のみが形成されたものであってもよい。
【００４７】
また、前記実施形態の洗い場付き浴槽１は、浴槽内部の側面部２６上端に連続して外方に延出する外周部２７を備えた浴槽であって、外周部２７には、当該浴槽の最大収容水位に応じた高さに設けられる上面部２７１と、上面部２７１よりも低い底部を有して側面部２６上端と非連続に設けられる溝部２７２と、が形成され、溝部２７２は、洗い場の反対側から洗い場側に向かって下がり勾配を有して延び、洗い場側における外周部２７の端縁に連続して形成されている。
【００４８】
このような構成によれば、洗い場の反対側にて上面部２７１に溢れた水を溝部２７２によって洗い場側に流し、外周部２７の端縁から洗い場床に向かって落下させて排水することができ、上面部２７１における水の滞留を抑制することができる。
【００４９】
ここで、従来の浴槽では、外周部であるフランジ部（リム部）の上面が一様な水平面内に形成されているため、フランジ部に溢れた水が上面に滞留しやすく、滞留した水が冷えることで入浴者に不快感を与えてしまうという問題があった。これに対して、本発明によれば、上面部２７１に溢れた水を溝部によって洗い場に排水して、上面部２７１における水の滞留を抑制することができるので、入浴者の不快感を抑制して快適性を向上させることができる。
【００５０】
以上の洗い場付き浴槽１において、外周部２７には、上面部２７１よりも上方に立ち上がるとともに溝部２７２の浴槽内部側に隣り合って設けられる立壁部２７３が形成されている。
【００５１】
このような構成によれば、溝部２７２の浴槽内部側に立壁部２７３が設けられていることで、溝部２７２の水が浴槽内部に流れ込むことが防止できる。さらに、立壁部２７３を入浴者の頭部側に形成すれば、入浴者が立壁部２７３に頭部を持たせ掛けることができ、浴槽の快適性を向上させることができる。
【００５２】
以上の洗い場付き浴槽において、立壁部２７３は、平面視で浴槽外部側に向かって凸な円弧状に形成され、外周部２７には、立壁部２７３の浴槽内部側に設けられて側面部２６上端に連続する平坦部２７４が形成されている。
【００５３】
このような構成によれば、円弧状に形成された立壁部２７３の浴槽内部側に平坦部２７４が形成され、この平坦部２７４が壁部２７３に囲まれることとなり、さらに平坦部２７４が側面部２６上端に連続することで、平坦部２７４の水は立壁部２７３に阻まれて外方へは流れず、側面部２６から浴槽内部へ戻されることとなる。この際、立壁部２７３及び平坦部２７４を入浴者の頭部側に形成すれば、入浴者が立壁部２７３及び平坦部２７４に頭部を持たせ掛けることができ、浴槽の快適性を向上させることができる。さらに、入浴者が肩などにかけた水は平坦部２７４から浴槽内部へ戻るので、浴槽内の湯量の減少を抑制することができる。
【００５４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５５】
１        洗い場付き浴槽
２        浴槽本体
３        洗い場床
４        浴槽エプロン
２２      フランジ部
２３      垂下片部
２４Ｃ    止水材
６０      接続部材
７０      高さ調整部材
【図１】
2015186553.tif 000003
【図２】
2015186553.tif 000004
【図３】
2015186553.tif 000005
【図４】
2015186553.tif 000006
【図５】
2015186553.tif 000007
【図６】
2015186553.tif 000008
【図７】
2015186553.tif 000009
【図８】
2015186553.tif 000010
【図９】
2015186553.tif 000011
【図１０】
2015186553.tif 000012